(57)【要約】【課題】光度比率テーブルの切り換わりを容易に確認できる点灯制御回路を提供する。【解決手段】制御部35は、第１の光度比率テーブルと、第２の光度比率テーブルとを備える。第１の光度比率テーブルは、定電流の電流値と光度比率との対応関係を示し第１の定格電流を有する。第２の光度比率テーブルは、定電流の電流値と光度比率との対応関係を示し第１の定格電流よりも小さい第２の定格電流を有するとともに少なくともこの第２の定格電流より大きく第１の定格電流以下の電流値に対して、標識灯10が第１の光度比率テーブルと異なる点灯状態となるように設定されている。制御部35は、電流検出回路51により検出した定電流電源装置11からの入力電流パターンに基づき第１の光度比率テーブルと第２の光度比率テーブルとを択一的に切り換える。【選択図】図１
2018055828.tif 000002
【特許請求の範囲】
【請求項１】
定電流電源装置から入力される定電流を所定の光度比率に応じた点灯電流に変換して標識灯に供給する点灯回路と；
前記定電流電源装置から入力される定電流の電流値を検出する電流検出回路と；
定電流の電流値と光度比率との対応関係を示し第１の定格電流を有する第１の光度比率テーブルと、定電流の電流値と光度比率との対応関係を示し前記第１の定格電流よりも小さい第２の定格電流を有するとともに少なくともこの第２の定格電流より大きく前記第１の定格電流以下の電流値に対して、前記標識灯が前記第１の光度比率テーブルと異なる点灯状態となるように設定されている第２の光度比率テーブルとを備え、前記電流検出回路により検出した前記定電流電源装置からの入力電流パターンに基づき前記第１の光度比率テーブルと前記第２の光度比率テーブルとを択一的に切り換える切換部と；
前記切換部により設定された光度比率テーブルに基づいて前記電流検出回路で検出された電流値に対応した光度比率となるように前記点灯回路を制御する制御部と；
を具備することを特徴とする点灯装置。
【請求項２】
前記第２の光度比率テーブルは、少なくとも前記第２の定格電流より大きく前記第１の定格電流以下の電流値に対する前記標識灯の光度が前記第１の光度比率テーブルよりも小さく設定されている
ことを特徴とする請求項１記載の点灯装置。
【請求項３】
前記第２の光度比率テーブルは、前記第２の定格電流より大きい電流値から前記第１の定格電流以下の所定の電流値まで、電流値の増加に伴い光度比率が低下するように設定されている
ことを特徴とする請求項２記載の点灯装置。
【請求項４】
前記第２の光度比率テーブルは、少なくとも前記第２の定格電流より大きく前記第１の定格電流以下の電流値に対して前記標識灯を点滅させるように設定されている
ことを特徴とする請求項１記載の点灯装置。
【発明の詳細な説明】
【技術分野】
【０００１】
本発明の実施形態は、設定された光度比率テーブルに基づいて標識灯を電流値に対応した光度比率に制御する点灯装置に関する。
【背景技術】
【０００２】
空港においては、滑走路、誘導路および走行路等に複数の標識灯が設置され、これら標識灯を点灯制御して航空機を誘導する標識灯システムが用いられている。
【０００３】
この標識灯システムでは、定電流電源装置から出力する定電流を複数の絶縁トランスを介して各絶縁トランスに接続されている複数の標識灯に供給している。
【０００４】
滑走路等に設置される標識灯の光度は、航空局が定める航空灯火の設置基準等にあるように、光度比率が複数段階、例えば５段階に規定されていて、滑走路等の長さや時間帯等に応じて、あるいは気象条件等に応じて、所定の光度比率に調整される。定電流電源装置から供給する定電流の電流値と光度比率との関係が予め定められており、定電流電源装置では光度比率に応じた電流値の定電流を供給し、標識灯では供給される定電流の電流値を検出してその電流値に応じた光度比率に光度を制御するように構成されている。
【０００５】
既設の滑走路等に設置されている標識灯は、光源として電球を用いた電球式標識灯が多く用いられている。そのため、定電流電源装置は、光度比率１００％で電球を点灯させるのに必要な例えば６．６Ａを最大の定格電流とし、この定格電流を基準として光度比率に応じた電流値の定電流を供給している。
【０００６】
昨今、光源としてＬＥＤ素子を用いたＬＥＤ式標識灯が提案されている。このＬＥＤ式標識灯の場合、電球式標識灯の場合に必要であった定格電流よりも低い定格電流での運用が可能となる。そこで、標識灯システム全体としての省エネルギー化のために、ＬＥＤ式標識灯への移行により最大の定格電流を５．０Ａとした調光にすることへと見直しが進められている。
【０００７】
このようなＬＥＤ式標識灯への入れ替えの際、空港に複数存在する誘導路等の場合には、使用を制限することにより、既設の複数の電球式標識灯を入れ替える工事を一度に進めることも可能である。しかしながら、空港によっては１つしか存在しない滑走路等の場合には、既設の複数の電球式標識灯をＬＥＤ式標識灯に一度に入れ替えることは、時間的な制約に伴い、滑走路等の使用が制限されるために困難な場合がある。
【０００８】
そのため、滑走路等に設置されている既設の複数の電球式標識灯をＬＥＤ式標識灯に入れ替える場合、電球式標識灯をＬＥＤ式標識灯に順次入れ替えていくこととなり、全ての入れ替えが完了するまでの期間、同じ滑走路等に電球式標識灯とＬＥＤ式標識灯とが混在する状況が発生する。このような電球式標識灯とＬＥＤ式標識灯とが混在する状況では、定電流電源装置から供給する定格電流は電球式標識灯に合わせて高い定格電流としなければならない。したがって、混在するＬＥＤ式標識灯では、電球式標識灯に対応する高い定格電流を基準とした定電流の電流値と光度比率との関係に基づき、検出した定電流の電流値に対応して光度制御をし、ＬＥＤ式標識灯に完全に移行した後、定電流電源装置の定格電流を５．０Ａに切り換え移行し、その後に各ＬＥＤ式標識灯の光度比率テーブルを５．０Ａ用のものに変更することになる。
【０００９】
切り換え単位は定電流電源装置毎となり、これら定電流電源装置には複数のＬＥＤ式標識灯が接続されているため、それぞれの光度比率テーブルが一斉に切り換わることとなる。このとき、５．０Ａ用の光度比率テーブルに切り換わったか否かの確認が容易でない。
【先行技術文献】
【特許文献】
【００１０】
【特許文献１】特開２００８−１８１７８１号公報
【特許文献２】特開２０１０−２５７７１８号公報
【発明の概要】
【発明が解決しようとする課題】
【００１１】
本発明が解決しようとする課題は、光度比率テーブルの切り換わりを容易に確認できる点灯装置を提供することである。
【課題を解決するための手段】
【００１２】
実施形態の点灯装置は、点灯回路と、電流検出回路と、切換部と、制御部とを有する。点灯回路は、定電流電源装置から入力される定電流を所定の光度比率に応じた点灯電流に変換して標識灯に供給する。電流検出回路は、定電流電源装置から入力される定電流の電流値を検出する。切換部は、第１の光度比率テーブルと、第２の光度比率テーブルとを備える。第１の光度比率テーブルは、定電流の電流値と光度比率との対応関係を示し第１の定格電流を有する。第２の光度比率テーブルは、定電流の電流値と光度比率との対応関係を示し第１の定格電流よりも小さい第２の定格電流を有するとともに少なくともこの第２の定格電流より大きく第１の定格電流以下の電流値に対して、標識灯が第１の光度比率テーブルと異なる点灯状態となるように設定されている。そして、切換部は、電流検出回路により検出した定電流電源装置からの入力電流パターンに基づき第１の光度比率テーブルと第２の光度比率テーブルとを択一的に切り換える。制御部は、切換部により設定された光度比率テーブルに基づいて電流検出回路で検出された電流値に対応した光度比率となるように点灯回路を制御する。
【発明の効果】
【００１３】
本発明によれば、定電流電源装置からの入力電流パターンに基づいて切換部により第１の光度比率テーブルと第２の光度比率テーブルとを択一的に切り換えたときに、定電流電源装置から第２の定格電流より大きく第１の定格電流以下の入力電流を供給すると、第１の光度比率テーブルのときと第２の光度比率テーブルのときとで標識灯の点灯状態が異なるので、光度比率テーブルの切り換わりを容易に確認可能となることが期待できる。
【図面の簡単な説明】
【００１４】
【図１】一実施形態を示す点灯装置を備えた標識灯システムを示す回路図である。
【図２】(a)は電球式標識灯のみを備えた標識灯システムの一部を示す回路図、(b)は電球式標識灯およびＬＥＤ式標識灯が混在する標識灯システムの一部を示す回路図、(c)はＬＥＤ式標識灯のみを備えた標識灯システムの一部を示す回路図である。
【図３】同上点灯装置の各光度比率テーブルを示す表である。
【図４】同上点灯装置の第１の光度比率テーブルを示すグラフである。
【図５】同上点灯装置の第２の光度比率テーブルを示すグラフである。
【図６】同上点灯装置の光度比率テーブルの切り換え時の定電流電源装置からの入力電流パターンの一実施例を示すグラフである。
【図７】同上点灯装置の光度比率テーブルの切り換え時の点灯装置側での判定制御を示すタイミングチャートである。
【図８】同上点灯装置の光度比率テーブルの切り換え時の定電流電源装置からの入力電流パターンの一実施例を示す表である。
【発明を実施するための形態】
【００１５】
以下、一実施形態を、図面を参照して説明する。
【００１６】
図１において、標識灯10は、交流の定電流電力を供給する定電流電源装置(ＣＣＲ)11から定電流電力を供給する給電ラインに一次側が直列に接続された、例えば可飽和装置としてのゴム被覆絶縁トランス等の少なくとも１つの絶縁トランス12の二次側に点灯装置である点灯制御回路13を介して接続されている。なお、図１には１つの絶縁トランス12のみを示し、他は省略している。そして、標識灯10は、これら定電流電源装置11および絶縁トランス12とともに、標識灯システムを構成している。
【００１７】
そして、標識灯10は、絶縁トランス12の二次側に遮断器である開放装置15を介して入力端子が接続され、点灯制御回路13により、この入力端子に入力される定電流電力を所定の点灯電力に変換して標識灯10に供給する。
【００１８】
ここで、標識灯10としては、例えばハロゲンランプ等の電球を備えた電球式標識灯10a(図２(a)および図２(b))と、発光素子16として本実施形態ではＬＥＤを備えたＬＥＤ式標識灯10b(図２(b)および図２(c))とが用いられる。ＬＥＤ式標識灯10bは、本実施形態において、複数の発光素子16が互いに直列に接続され、発光素子16全体として発光ユニット(灯体)を構成している。図１においては、発明をより明確にするために発光素子16を２つ図示しているが、以下、発光素子16は２つに限定されるものではなく、３つ以上を直列に接続してもよいし、１つのみで用いてもよい。この発光素子16がＬＥＤの場合には、複数のＬＥＤ素子を基板に実装して蛍光体を含む封止部材で覆うＣＯＢ(Chip On Board)方式、ＬＥＤ素子が搭載された接続端子付きのＳＭＤ(Surface Mount Device)パッケージを基板に実装する方式等、いずれを用いてもよい。なお、発光素子16は、砲弾型のＬＥＤであってもよい。発光素子16としては、ＬＥＤの他に、有機ＥＬ素子や無機ＥＬ素子等を用いることもできる。
【００１９】
そして、標識灯10は、着脱可能な電球あるいは発光素子16、図示しない反射鏡および／またはレンズ等により構成される光学系部、この光学系部からの光を外部へと透光するガラス等の図示しない出射部、および、点灯制御回路13等が、図示しない筐体に一体的に内包されて構成される。
【００２０】
開放装置15は、ブレーカ(漏電ブレーカ)とも呼ばれ、点灯制御回路13の入力側に接続された駆動素子としての駆動コイル15aと、この駆動コイル15aに所定電圧V1以上の電圧が印加されることで物理的に引き離される接点部15bとを備えた常閉の機械式ラッチ(機械式スイッチ)である。この開放装置15は、例えば絶縁トランス12の二次側と標識灯10(点灯制御回路13)の入力端子の高圧側との間に挿入されている。この開放装置15は、標識灯システムの通電時および非通電時のそれぞれにおいて、接点部15bの開状態および閉状態がそれぞれ機械的に保持されるようになっている。
【００２１】
点灯制御回路13は、標識灯10(電球または発光素子16)を点灯制御するもので、入力端子(開放装置15)に対して一次側が直列に接続される(第１および第２の)電流トランス(変流トランス)すなわちカレントトランス21，22の二次側に接続されている。すなわち、この点灯制御回路13は、開放装置15の後段、すなわち二次側に接続されている。これらカレントトランス21，22は、絶縁トランス12から入力される定電流電力の電流値を所定の電流値に変換する。また、カレントトランス21の二次側には、開放装置15を動作させるための駆動コイル15aが接続され、この駆動コイル15aの後段に、点灯制御回路13が接続されている。そして、点灯制御回路13は、カレントトランス21の二次側に、交流の定電流電力を整流する整流回路24、負荷調整回路25、保護回路26および平滑回路27等が接続されている。
【００２２】
負荷調整回路25は、電圧検出回路である主電圧検出回路30で検出される電圧、発光素子16を点灯させる点灯回路31に接続された点灯電流検出回路32で検出した点灯電流の波高値を波高値変換回路33で検出した検出値、および、この点灯電流の平均値を平均値変換回路34で検出した検出値に基づいて、例えばＣＰＵ(マイコン)によって構成された制御部35によりフィードバック制御され、発光素子16に供給する電力の電圧を制御する。この負荷調整回路25は、絶縁トランス12の二次側であるカレントトランス21の二次側の高圧側と低圧側との間に接続されて電流の一部をバイパスさせるための例えば半導体スイッチであり、制御部35からバッファ回路36を介して供給された主電圧制御信号であるＨ／Ｌ信号によりスイッチングされて高圧側と低圧側とを短絡／開放することで、発光素子16への印加電圧が所定値を超えないように定電圧化している。
【００２３】
主電圧検出回路30は、点灯制御回路13(点灯回路31)の出力電圧である主電圧を検出し、この検出した主電圧(この主電圧に対応する値)を制御部35に入力し、制御部35は負荷調整回路25の出力電圧を、バッファ回路36を介して調整する。
【００２４】
点灯回路31は、発光素子16を点灯させるものである。ここで、標識灯10の場合、色度規格が規定されており、ＬＥＤ等の発光素子16は、波高値が変わると色度が変化する特性を有するため、点灯回路31は、発光素子16の調光段階に応じて一般的にＰＷＭ(パルス幅変調)制御を行い、発光素子16の調光段階に拘らず、発光素子16への入力電流の波高値(ピーク値)は一定としている。すなわち、本実施形態において、この点灯回路31は、スイッチング素子を備え、このスイッチング素子が制御部35によってバッファ回路36を介して開閉されることで発光素子16の点灯時間のデューティ比を変え、発光素子16を所定の光度(光度範囲)で点灯させる。
【００２５】
波高値変換回路33および平均値変換回路34は、それぞれ検出した点灯電流の波高値(この波高値に対応する値)および平均値(この平均値に対応する値)を制御部35に入力するようになっている。
【００２６】
保護回路26は、負荷調整回路25の開放による点灯制御回路13の入力電圧の上昇により動作して発光素子16および点灯回路31を入力電圧から切り離して保護するものである。この保護回路26は、負荷調整回路25と平滑回路27との間の接続を開閉する保護接点41と、この保護接点41の開閉を制御する開回路42および閉回路43と、保護接点41の二次側である平滑回路27の入力側の電圧(この電圧に対応する電圧)を検出する電圧検出回路44と、保持素子としての保持コンデンサ45とを備えている。そして、この保護回路26は、閉回路43が保護接点41の一次側電圧により動作されて保護接点41を閉じるとともに、電圧検出回路44により検出した保護接点41の二次側電圧である主電圧が開放装置15の駆動コイル15aが動作する所定電圧V1よりも低い所定電圧V2以上となったときに開回路42が動作されて保護接点41を開くようになっている。すなわち、この保護回路26は、点灯制御回路13の入力電圧が所定電圧V2以上となったときに保護動作を行う。また、保持コンデンサ45は、開回路42の動作電圧を平滑回路27とともに所定時間保持するものである。
【００２７】
平滑回路27は、整流回路24で整流された定電流電力を平滑する、例えば平滑コンデンサである。この平滑回路27には、主電圧から第１の制御電圧である１５Ｖの動作電圧を生成する(第１の)制御電源回路としての１５Ｖ電源回路47と、この１５Ｖ電源回路47から第２の制御電圧である５Ｖの動作電圧を生成する(第２の)制御電源回路としての５Ｖ電源回路48とが接続されているとともに、これら制御電圧(これら制御電圧に対応する電圧)を検出する制御電圧検出回路49が接続されている。１５Ｖ電源回路47からは、１５Ｖの動作電圧が供給され、５Ｖ電源回路48からは５Ｖの動作電圧(Vcc)が例えば制御部35に供給される。さらに、制御電圧検出回路49は、検出した制御電圧(これら制御電圧に対応する値)を制御部35に入力するようになっている。
【００２８】
また、カレントトランス22の二次側には、定電流電源装置11の入力電流(入力電流の実効値)、あるいはこの定電流電源装置11の入力電流に対応する電流(電流の実効値)を検出する電流検出回路51が増幅回路52を介して接続されている。この電流検出回路51は、例えば１５Ｖ電源回路47から電源が供給されている。そして、この電流検出回路51で検出された定電流電源装置11からの入力電流値が増幅回路52を介して制御部35に入力され、制御部35はこの電流値に応じて点灯回路31を制御する。
【００２９】
ここで、制御部35は、点灯回路31を制御する。また、この制御部35は、記憶部(メモリ)を有している。この記憶部には、定電流電源装置11から供給する交流定電流の入力電流値と光度比率(ＰＷＭデューティ)との関係を示す光度比率テーブルが複数、本実施形態では２つ記憶されている。また、この制御部35は、電流検出回路51で検出された定電流電源装置11からの入力電流の変化、すなわち入力電流パターンに基づいて、光度比率テーブルの切り換え、標識灯10の点検、あるいは出力調整等の各種動作を行う。そして、本実施形態では、タップ５の光度比率１００％を定格電流とし、６．６Ａの第１の定格電流を有する第１の光度比率テーブルと、第１の定格電流よりも小さい５．０Ａの第２の定格電流を有する第２の光度比率テーブルとの２種類の光度比率テーブルを備えている。したがって、この制御部35は、電流検出回路51により検出した定電流電源装置11からの入力電流パターンに基づき第１の光度比率テーブルと第２の光度比率テーブルとを択一的に切り換える切換部の機能を有している。
【００３０】
図３に、制御部35の記憶部に記憶される光度比率テーブルの例を示す。滑走路の標識灯10の場合、周囲の明るさが変化しても標識の見え方を良好に維持するために、周囲の明るさに応じて定電流電源装置11からの入力電流を複数段階に切り換えることによって複数段階の所定の光度比率で作動するように制御されている。例えば、本実施形態において、光度比率はタップ１〜５までの５段階があり、タップ５が光度比率１００％、タップ４が光度比率２５％、タップ３が光度比率５％、タップ２が光度比率１％、タップ１が光度比率０．２％となっている。また、光度比率テーブルには、光度比率０％の消灯タップを備えていてもよい。
【００３１】
本実施形態において、第１の光度比率テーブルと第２の光度比率テーブルとは、定格電流が異なるだけで、タップ１〜５および消灯タップにおける光度比率に変化はない。第１の光度比率テーブルは、基本的に電球を用いた電球式標識灯10aに対応した定格電流となっており、第２の光度比率テーブルは発光素子16を用いたＬＥＤ式標識灯10bに適した定格電流となっている。なお、このようなタップ１〜５および消灯タップと各光度比率テーブとの対応付けは定電流電源装置11も保有している。
【００３２】
図４に示すように、第１の光度比率テーブルTA1では、タップ５で６．６Ａ、タップ４で５．２Ａ、タップ３で４．１Ａ、タップ２で３．４Ａ、タップ１で２．８Ａとなっている。
【００３３】
一方、図５に示すように、第２の光度比率テーブルTA2では、タップ５で５．０Ａ、タップ４で４．５Ａ、タップ３で４．０Ａ、タップ２で３．５Ａ、タップ１で３Ａとなっている。また、この第２の光度比率テーブルTA2では、第２の定格電流である５．０Ａより大きく、かつ、第１の光度比率テーブルTA1(図４)の第１の定格電流である６．６Ａ以下の所定の第１の電流値から第２の電流値まで、電流値の増加に伴い光度比率が低下するように設定されている。本実施形態では、電流値の増加に比例して光度比率が連続的に低下するように設定されている。さらに、この第２の光度比率テーブルTA2は、第２の電流値以上の電流値、例えば第１の定格電流である６．６Ａの入力電流に対して、タップ５での光度比率より小さい所定の光度比率、例えばタップ１と同程度の０．２％点灯となっている。
【００３４】
図１に戻って、定電流電源装置11は、例えば図示しないサイリスタ等の制御素子の位相制御により、複数の調光段階に対応して複数段階、例えば５段階の定電流を出力可能となっている。また、この定電流電源装置11は、出力する定格電流(最大電流)を、スイッチ等の電流切換部によって切り換え可能となっている。
【００３５】
次に、一実施形態の動作を説明する。
【００３６】
既設の滑走路に電球式標識灯10aのみが設置されている場合(図２(a))、定電流電源装置11では、６．６Ａを定格電流とし、この定格電流６．６Ａを基準として光度比率に応じた電流値の交流定電流を給電ラインから電球式標識灯10aに供給する。
【００３７】
また、既設の滑走路に設置されている電球式標識灯10aをＬＥＤ式標識灯10bに入れ替える場合、複数の電球式標識灯10aをＬＥＤ式標識灯10bに順次入れ替えていくこととなり、全ての入れ替えが完了するまでの期間、同じ滑走路に電球式標識灯10aとＬＥＤ式標識灯10bとが混在する状況が発生する(図２(b))。このような状況でも、定電流電源装置11から供給する定格電流は電球式標識灯10aに合わせた定格電流(６．６Ａ)とする。
【００３８】
これら給電ラインに電球式標識灯10aのみが設置されている場合、および、電球式標識灯10aとＬＥＤ式標識灯10bとが混在している場合には、ＬＥＤ式標識灯10bの制御部35には定格電流６．６Ａに対応した第１の光度比率テーブルが設定されている。
【００３９】
絶縁トランス12では、定電流制御装置11から供給される高圧の一次側電源を低圧の二次側電源に変換して各標識灯10の点灯制御回路13に(カレントトランス21，22を介して)供給する。電源供給された各標識灯10の点灯制御回路13では、保護回路26の保護接点41の一次側電圧により閉回路43が動作して保護接点41を閉じ、電源が点灯回路31側に供給される。そして、制御部35が、設定されている光度比率テーブルを参照して電流検出回路51で検出した入力電流に応じてＰＷＭ信号を設定し(バッファ回路36を介して)、点灯回路31の動作を制御することで、電球または発光素子16の点灯電流を制御して、電球または発光素子16を入力電流に応じた所定の調光点灯状態で点灯させる。このとき、制御部35では、主電圧検出回路30で検出した主電圧、点灯電流検出回路32、波高値変換回路33および平均値変換回路34で検出した点灯電流の波高値および平均値により電球または発光素子16の点灯状態を監視し、これら検出した主電圧や点灯電流の波高値および平均値に応じて(バッファ回路36を介して)負荷調整回路25に信号を出力してこの負荷調整回路25を開閉することで、電球または発光素子16に供給される電流値を各調光段階で一定となるように制御する。
【００４０】
すなわち、電球式標識灯10aでは、第１の定格電流６．６Ａを基準とし例えば周囲環境に応じて設定された交流定電流の電流値を電流検出回路51により検出し、制御部35が、設定されている第１の定格電流６．６Ａに対応した第１の光度比率テーブルに基づき、この検出した電流値の段階に応じた光度比率に光度を制御する。
【００４１】
また、ＬＥＤ式標識灯10bでは、制御部35により、電流検出回路51により検出した定電流電源装置11の電流値に基づき、定電流電源装置11からの信号を監視している。そして、定電流電源装置11から所定の入力電流パターンを検出しなければ、設定されている第１の定格電流６．６Ａに対応した第１の光度比率テーブルに基づき、検出した電流値の段階に応じた光度比率に光度を制御する。
【００４２】
そして、給電ラインに接続される標識灯10が全てＬＥＤ式標識灯10bに入れ替わった場合(図２(c))には、標識灯システムで用いる第１の定格電流を第２の定格電流に切り換える切換作業を行う。この切換作業は、滑走路を使用しない時間帯等に行われる。
【００４３】
切換作業において、まず、定電流電源装置11から給電ラインを通じてＬＥＤ式標識灯10bに所定のパターンで電流を供給する。例えば、本実施形態では定電流電源装置11が所定の一定の間隔毎に決まった電流レベルを所定数出力することで、光度比率テーブルの切り換えの信号とする。本実施形態では、一定の間隔T1(例えば１０秒)毎にタップ１ないしタップ４のいずれかを所定数Ｎ(例えば１０パターン)出力することで、光度比率テーブルの切り換えの信号とする(図６に一実施例を示す)。なお、タップ５は、ＬＥＤ式標識灯10bを第１の定格電流と第２の定格電流との両方で動作させることを考慮すると認識が難しいため使用せず、タップ１ないしタップ４のみで行う。これら間隔T1および所定数Ｎは任意に設定できる。
【００４４】
一方、ＬＥＤ式標識灯10b側には、光度比率テーブルの切り換えの信号に対応した探査電流値(探査電流パターン)が設定されており、この探査電流値と定電流電源装置11からの入力電流パターンを電流検出回路51にて読み取った読取電流値との一致・不一致を制御部35により判断する。この読取電流値と探査電流値との一致・不一致は、入力電流パターンの間隔より短い所定の時間連続して一致した場合に一致と判断し、入力電流パターンの間隔より長い所定の不一致判定時間連続して一致しない場合に不一致と判断する。すなわち、ＬＥＤ式標識灯10bは、探査する電流レベルに対して所定の受付時間(＝不一致判定時間)を設け、その受付時間中の所定の時間(＝一致判定時間)、読取電流値と探査電流値とが連続一致したときに次の探査電流レベルに移行し、最後まで一致した場合に光度比率テーブルを切り換え、途中で不一致がある場合には最初から探査しなおす。なお、制御部35に探索電流レベルのパターンを予め記憶し、この探索電流レベルのパターンと定電流電源装置11からの入力電流パターンを電流検出回路51にて読み取った読取電流値との一致・不一致を制御部35により判断してもよい。
【００４５】
具体的に、本実施形態では、読取電流値と探査電流値とが間隔T1より短い所定の一致判定時間T2(例えば８秒)一致した場合に一致と判断し、読取電流値と探査電流値とが間隔T1より長い所定の不一致判定時間T3(例えば１２秒)一致しない場合に不一致と判断する(図７)。不一致と判断した場合には、最初の探査電流値に戻る。ここで、本実施形態において、一致判定時間を８秒、受付時間を１２秒としているのは、入力電流パターンの各電流レベルの間隔の出力波形に探査電流を同期させるためである。すなわち、定電流電源装置11からの入力電流(読取電流値)と探査電流値とが最速の８秒で一致と判定された場合、その後の２秒間は定電流電源装置11からの入力電流レベルがまだ切り換わっていないため、入力電流レベルの切り換えの間隔と一致判定時間との差分を間隔に加算した時間を受付時間として設定している(T3＝(T1−T2)＋T1)。
【００４６】
例えば、第１の光度比率テーブルから第２の光度比率テーブルに切り換える場合には、定電流電源装置11からの入力電流をタップ１、タップ４、タップ２、タップ３、タップ１、タップ４、タップ３、タップ１、タップ２、タップ４と切り換える(図８)。この定電流電源装置11からの入力電流の切り換えは、時間を測定しながら手動で行うこともできるし、例えばＰＣなどの切換設定装置に予め切り換えパターンを記憶させ、この切換設定装置を定電流電源装置11に接続することにより自動で行うこともできる。
【００４７】
なお、上記の入力電流パターンは任意に設定することができるが、標識灯10(ＬＥＤ式標識灯10b)の実用時には起き得ないと想定される変化パターン(極めて確率が低い変化パターン)とすることで、実際の使用時の意図しないタイミングにおいて制御部35が光度比率テーブルを誤って切り換えることを防止できる。
【００４８】
そして、制御部35により、読取電流値と探査電流値とに不一致がある、すなわち電流検出回路51により検出した定電流電源装置11からの供給電流の変化が所定の入力電流パターンでないと判断した場合には、そのまま第１の光度比率テーブルを用い、定電流電源装置11からの入力電流に応じて発光素子16を所定のタップで点灯させる。
【００４９】
一方、制御部35により、読取電流値と探査電流値とがすべて一致した、すなわち電流検出回路51により検出した定電流電源装置11からの供給電流が所定の入力電流パターンで変化したと判断した場合には、定電流電源装置11からの光度比率テーブルの切り換えを指示する信号であるものと判断し、制御部35は、第１の定格電流(６．６Ａ)に対応した第１の光度比率テーブルから、第２の定格電流(５．０Ａ)に対応した第２の光度比率テーブルに切り換える。
【００５０】
なお、ここでは第１の光度比率テーブルから第２の光度比率テーブルへの切り換えについて説明したが、第２の光度比率テーブルから第１の光度比率テーブルへの切り換えは、定電流電源装置11からの入力電流を、第１の光度比率テーブルから第２の光度比率テーブルへの切り換えのパターンと異なるパターン、例えば第１の光度比率テーブルから第２の光度比率テーブルへの切り換えの入力電流パターンの逆順で切り換えることにより(図８)、上記と同様に行うことができるため、説明を省略する。
【００５１】
上記の光度比率テーブルの切り換わりは、制御部35の内部で行われるため、制御部35の外部から確認する必要がある。このとき、第２の光度比率テーブルの少なくとも第２の定格電流(５．０Ａ)より大きく第１の定格電流(６．６Ａ)以下の電流値に対して、標識灯10(ＬＥＤ式標識灯10b)の点灯状態が異なるように、本実施形態では標識灯10(ＬＥＤ式標識灯10b)の光度を第１の光度比率テーブルよりも小さく設定したことにより、定電流電源装置11からの入力電流パターンに基づいて第１の光度比率テーブルと第２の光度比率テーブルとを択一的に切り換えたときに、定電流電源装置11から第２の定格電流より大きく第１の定格電流以下の電流、例えば第１の定格電流を供給すると、第１の光度比率テーブルのときと第２の光度比率テーブルのときとで標識灯10(ＬＥＤ式標識灯10b)の点灯状態、本実施形態では光度が異なるので、標識灯10の入れ替えに伴う光度比率テーブルの切り換わりを容易に確認できる。
【００５２】
すなわち、定電流電源装置11から例えば第１の定格電流である６．６Ａを供給したとき、制御部35の光度比率テーブルが第１の光度比率テーブルTA1のまま切り換わっていない場合には、タップ５の光度比率である１００％の調光、すなわち全光点灯となる(図３および図４)。一方、制御部35の光度比率テーブルが第２の光度比率テーブルTA2に切り換わっている場合には、０．２％の調光となる(図３および図５)。このため、これら光度の差によって、制御部35に設定された光度比率テーブルが切り換わったか否かを、光量を検出する検出装置等を用いることなく容易に目視確認できる。
【００５３】
ここで、制御部35に設定された光度比率テーブルの切り換わりの確認の際には、定電流電源装置11から第１の定格電流である６．６Ａを供給する代わりに、例えば第２の定格電流である５．０Ａよりも大きく第１の定格電流である６．６Ａ以下の範囲で電流値を順次増加させて複数回供給してもよい。このとき、制御部35に設定された光度比率テーブルが第２の光度比率テーブルTA2に切り換わっている場合には、第２の定格電流より大きい電流値から第１の定格電流以下の所定の電流値まで、電流値の増加に伴い光度比率が低下するように設定された第２の光度比率テーブルTA2の特性により、標識灯10(発光素子16)の光度が順次低下する(図５)こととなるので、制御部35に設定された光度比率テーブルが切り換わったか否かを、この光度の低下によって検出装置等を用いることなく容易に目視確認できる。
【００５４】
そして、制御部35に設定された光度比率テーブルが切り換わっていることを確認すると、定電流電源装置11では、例えば電流切換部の切り換え等により、定格電流を５．０Ａに切り換える。そして、この定電流電源装置11は、定格電流５．０Ａを基準として光度比率に応じた電流値の交流定電流を給電ラインからＬＥＤ式標識灯10bに供給する。
【００５５】
ＬＥＤ式標識灯10bでは、制御部35により、切り換えられた第２の定格電流である５．０Ａに対応した第２の光度比率テーブルに基づき、検出した電流値に応じた光度比率に光度を制御する。
【００５６】
このように、定電流電源装置11から複数の標識灯10に交流定電流を供給する給電ラインは数ｋｍにわたるが、定格電流を低減することにより、給電ラインでの電力損失を低減することができる。
【００５７】
そのため、上記の標識灯システムでは、既設の滑走路に設置されている電球式標識灯10aをＬＥＤ式標識灯10bに順次入れ替える場合、全て入れ替わった後には、複数の標識灯10(ＬＥＤ式標識灯10b)の光度比率テーブルを一斉に切り換えることができ、定格電流を低減化することができる。
【００５８】
また、定格電流を低減化することにより、給電ラインでの電力損失を低減でき、低電力化を図ることができるとともに、絶縁トランス12の小型化等も可能になり、一層のコスト減となる。
【００５９】
なお、上記一実施形態において、第２の光度比率テーブルは、第２の定格電流より大きい電流値に対する光度が第１の光度比率テーブルでの第１の定格電流に対する光度よりも小さく設定されていれば、その光度比率は、０．２％(タップ１)に限定されない。すなわち、定電流電源装置11から第２の定格電流よりも大きい入力電流を供給したときに、第１の光度比率テーブル時と第２の光度比率テーブル時とで目視確認できる程度の光度差が生じるようになっていればよい。
【００６０】
また、第２の光度比率テーブルは、少なくとも第２の定格電流より大きく第１の定格電流以下の電流値に対して標識灯10(ＬＥＤ式標識灯10b)を、所定のパターンで点滅させるように設定されていてもよい。この場合には、定電流電源装置11からの入力電流パターンに基づいて第１の光度比率テーブルと第２の光度比率テーブルとを択一的に切り換えたときに、定電流電源装置11から第２の定格電流より大きく第１の定格電流以下の電流、例えば第１の定格電流を供給すると、第１の光度比率テーブルのときと第２の光度比率テーブルのときとで標識灯10(ＬＥＤ式標識灯10b)の点灯状態が点灯とパターン点滅とで異なるので、光度比率テーブルの切り換わりを容易に確認できるとともに、光度比率テーブルの切り換えにより生じた点灯と故障とを明確に区別することができる。
【００６１】
さらに、切換部は、制御部35と別個に設けてもよい。
【００６２】
また、点灯回路31は、例えばＡＭ制御等も可能であり、発光素子16と直列または並列に例えばＦＥＴ等のリレー素子を設けたものとすることができる。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
10    標識灯
11    定電流電源装置
13    点灯装置である点灯制御回路
31    点灯回路
35    切換部の機能を有する制御部
51    電流検出回路
【図１】
2018055828.tif 000003
【図２】
2018055828.tif 000004
【図３】
2018055828.tif 000005
【図４】
2018055828.tif 000006
【図５】
2018055828.tif 000007
【図６】
2018055828.tif 000008
【図７】
2018055828.tif 000009
【図８】
2018055828.tif 000010